【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
ドロップレット排出モジュールであって、
内蔵の液体容器および液体アウトレットを含む液体供給アセンブリと、
該液体供給アセンブリに接続するように構成され、該液体供給アセンブリの該液体アウトレットから液体を受け取り、該液体をドロップレット排出本体に送り出すように構成された液体チャネルを含むハウジングと、
該ハウジング内に搭載され、一つ以上の液体インレットを含むドロップレット排出本体であって、該一つ以上の液体インレットは、該ハウジングを介して直接的に該液体供給アセンブリのみから該液体を受け取るように構成され、かつ一つ以上のノズルに流体的に連結され、該ドロップレット排出本体は、該一つ以上のノズルからドロップレットを選択的に排出するように構成された一つ以上のアクチュエータと、該一つ以上のアクチュエータを駆動するように一つ以上の電気信号を受信する一つ以上の電気接点とを含む、ドロップレット排出本体と
を備えている、ドロップレット排出モジュール。
【請求項２】
前記液体供給アセンブリは、前記液体が前記液体容器から前記液体アウトレットを通って出るのを妨げるように動作可能なシールをさらに備えている、請求項１に記載のドロップレット排出モジュール。
【請求項３】
前記ハウジングは、第１の位置で前記液体供給アセンブリに接続可能であり、該第１の位置で前記シールは、前記液体が前記液体アウトレットから出て前記液体チャネルに入るのを妨げ、
該ハウジングは、第２の位置で該液体供給アセンブリに接続可能であり、該第２の位置で該シールは、該液体が該液体アウトレットから出て該液体チャネルに入るのを妨げない、請求項２に記載のドロップレット排出モジュール。
【請求項４】
一旦前記ハウジングが第１の位置で前記液体供給アセンブリに接続されると、該ハウジングは前記第２の位置に移動することのみが可能であり、該液体供給アセンブリから分離可能ではない、請求項３に記載のドロップレット排出モジュール。
【請求項５】
前記ハウジングは、ダブルスナップフィット接続によって前記第１の位置および前記第２の位置で前記液体供給アセンブリに接続するように構成されている、請求項３に記載のドロップレット排出モジュール。
【請求項６】
前記ハウジングは、該ハウジングが前記第２の位置で前記液体供給アセンブリに接続されるとき前記シールに穴をあけるように構成された、細長い、先のとがったメンバをさらに備えている、請求項５に記載のドロップレット排出モジュール。
【請求項７】
前記ハウジングは、該ハウジングが前記第１の位置で前記液体供給アセンブリに接続されている間、前記シールを維持し、該ハウジングが前記第２の位置で該液体供給アセンブリに接続されているとき、該シールを解放すように構成されたスプリング作動機構をさらに備えている、請求項５に記載のドロップレット排出モジュール。
【請求項８】
前記液体供給アセンブリは、
液体供給ハウジングと、
該液体供給ハウジング内に形成された排出可能なチャンバであって、該チャンバから液体を引き出すためにポートに連結されている該排出可能なチャンバと
をさらに備えている、請求項１に記載のドロップレット排出モジュール。
【請求項９】
前記液体容器は、前記液体を含むように適合されたフレキシブル容器を備え、前記液体供給ハウジングの排出可能なチャンバ内に置かれている、請求項８に記載のドロップレット排出モジュール。
【請求項１０】
前記一つ以上のノズルからのドロップレット排出を制御する駆動信号を供給するように前記ドロップレット排出本体に含まれる前記一つ以上の電気接点に電気的に接続されたフレキシブル回路をさらに備え、該フレキシブル回路は、該駆動信号を供給する外部の回路と電気的に接続するように構成された接触面を含む、請求項８に記載のドロップレット排出モジュール。
【請求項１１】
前記排出可能なチャンバおよび前記フレキシブル回路の前記接触面に連結された前記ポートは、取り付けアセンブリへの一つの接続で、該ポートが排出ソースに流体的に接続し、かつ該接触面が外部回路に電気的に接続するように構成される、請求項１０に記載のドロップレット排出モジュール。
【請求項１２】
前記液体容器は、液体を含むように適合されたフレキシブル容器を備えている、請求項１に記載のドロップレット排出モジュール。
【請求項１３】
前記液体供給アセンブリは、前記流体容器に流体的に接続され、前記液体を受けるように構成されたポートをさらに備えている、請求項１に記載のドロップレット排出モジュール。
【請求項１４】
前記ポートは、セルフシールである、請求項１３に記載のドロップレット排出モジュール。
【請求項１５】
前記ハウジングおよび前記液体供給アセンブリは、一旦それらの間に流体的な接続がなされると、永続的に接続され、分離不能である、請求項１に記載のドロップレット排出モジュール。
【請求項１６】
ドロップレット排出モジュールのための液体供給アセンブリであって、
液体供給ハウジングと、
該液体供給ハウジング内に形成された排出可能なチャンバであって、該排出可能なチャンバは、該排出可能なチャンバから液体を引き出すためのポートに結合されている、排出可能なチャンバと、
該チャンバに置かれる内蔵の液体容器と、
液体を該液体容器内からドロップレット排出本体へ送り出すように構成された液体アウトレットと、
該液体供給ハウジングをドロップレット排出本体に接続するように構成された接続機構であって、一旦接続されると、該液体供給ハウジングは該ドロップレット排出本体ハウジングから切り離すことが可能ではない、接続機構と
を備えている、液体供給アセンブリ。
【請求項１７】
前記内蔵の液体容器はフレキシブルバッグを備えている、請求項１６に記載の液体供給アセンブリ。
【請求項１８】
前記接続機構は、前記ドロップレット排出本体ハウジングに含まれる対応する受け取り面にスナップフィットするように構成された二つ以上の細長い、フレキシブルコンポーネントを備えている、請求項１６に記載の液体供給アセンブリ。
【請求項１９】
ドロップレット排出モジュールのベースコンポーネントであって、
該ベースコンポーネントを液体供給アセンブリに接続するように構成された接続機構を含むハウジングであって、該ベースコンポーネントは、一旦接続されると、該液体供給アセンブリから切り離すことが可能ではない、ハウジングと、
該ハウジング内に形成され、液体を該液体供給アセンブリから受け、該液体をドロップレット排出本体に送り出すように構成された液体チャネルと、
該ハウジングに接続され、該液体を該ハウジングから受け取り、かつ一つ以上のノズルに流体的に連結されるように構成される一つ以上の液体インレットを含むドロップレット排出本体であって、該ドロップレット排出本体は、前記一つ以上のノズルからドロップレットを選択的に排出するように構成される一つ以上のアクチュエータと、該一つ以上のアクチュエータを駆動するようにために一つ以上の電気信号を受信する一つ以上の電気接点とを含む、ドロップレット排出本体と
備えている、ベースコンポーネント。
【請求項２０】
前記接続機構は、前記液体供給アセンブリに含まれる、二つ以上の対応する、細長い、フレキシブルコンポーネントを受け取り、かつ前記ベースコンポーネントと該液体供給アセンブリとの間のスナップフィット接続を提供するように構成された二つ以上の受け取り面を備えている、請求項１９に記載のベースコンポーネント。
【請求項２１】
ドロップレット排出モジュールであって、
内蔵の液体容器と液体アウトレットを含む液体供給アセンブリであって、該液体アウトレットは、該液体供給アセンブリからドロップレット排出本体内に形成された液体チャネルへの液体経路を提供する、液体供給アセンブリと、
該液体供給アセンブリに接続するように構成されたハウジングと、
該ハウジング内に永続的に搭載され、少なくとも一つのノズルを有するノズル面を含むドロップレット排出本体であって、該ドロップレット排出本体は、該ハウジングを介して直接的に該液体供給アセンブリのみから該液体を受け取るように構成された一つ以上の液体インレットであって、該少なくとも一つのノズルに流体的に連結された一つ以上の液体インレットと、該少なくとも一つのノズルからドロップレットを選択的に排出するように構成された少なくとも一つのアクチュエータと、該少なくとも一つのアクチュエータを駆動するように一つ以上の電気信号を受信する少なくとも一つの電気接点とを含み、さらに少なくとも一つの液体チャネルを含んでいる、ドロップレット排出本体と、
該ハウジングに、かつ該ドロップレット排出本体の該ノズル面に取り付けられたフレキシブル回路であって、該フレキシブル回路は、該一つ以上の電気信号を少なくとも一つのアクチュエータに供給して少なくとも一つのノズルからの液体排出を制御するように、ドロプレット排出本体に電気的に接続される、フレキシブル回路と
を備えている、ドロップレット排出モジュール。
【請求項２２】
前記ドロップレット排出本体は、
ベース基板に形成された一つ以上のポンプチャンバであって、各ポンプチャンバは、液体を液体供給源から受け取るように構成される受け取り端部と、該ポンプチャンバから液体を排出する排出端部を含む、一つ以上のポンプチャンバをさらに備えている、請求項２１に記載のドロップレット排出モジュール。
【請求項２３】
前記ドロップレット排出本体は、
前記ノズルプレートを介して形成された一つ以上のノズルを含むベース基板に取り付けられたノズルプレートであって、各ノズルは、ポンプチャンバと流体的に連絡しており、ノズルからの排出のためのポンプチャンバの前記排出端部から液体を受け取る、ノズルプレートをさらに備えている、請求項２２に記載のドロップレット排出モジュール。
【請求項２４】
前記ドロップレット排出本体に含まれる少なくとも一つのアクチュエータは、
該ノズルプレートに接続された一つ以上の圧電アクチュエータであって、圧電アクチュエータは各ポンプチャンバの上に置かれ、該ポンプチャンバを歪ませて加圧することにより、該ポンプチャンバの該排出端部と流体的に連絡している対応するノズルから液体を排出するように構成された圧電材料を含む、一つ以上の圧電アクチュエータを備えている、請求項２３に記載のドロップレット排出モジュール。
【請求項２５】
前記液体供給アセンブリは、
液体供給ハウジングと、
該液体供給ハウジング内に形成された排出可能なチャンバであって、該液体供給ハウジングは、該チャンバから液体を引き出すためにポートに流体的に連結されている、排出可能なチャンバと、
液体を含むように適合されたバッグであって、該バッグは該排出可能なチャンバに置かれる、バッグと
をさらに備えている、請求項２１に記載のドロップレット排出モジュール。
【請求項２６】
前記フレキシブル回路は、前記一つ以上の電気信号を供給する外部の回路に電気的に接続されるように構成された接触面をさらに備え、
前記チャンバと前記フレキシブル回路の前記接触面に連結される前記ポートは、取り付けアセンブリへの単一の接続で、該ポートが排出ソースに流体的に接続し、かつ前記接触面が外部回路に電気的に接続するように構成されている、請求項２５に記載のドロップレット排出モジュール。
【請求項２７】
前記ハウジングは、前記液体供給アセンブリに永続的に接続するように構成されており、該ハウジングと該液体供給アセンブリとは、一旦それらの間に流体的な接続がなされると、分離不能である、請求項２１に記載のドロップレット排出モジュール。
【請求項２８】
前記液体チャネルは、前記ドロップレット排出本体の背面に形成されている、請求項２１に記載のドロップレット排出モジュール。
【手続補正２】
【補正対象書類名】明細書
【補正対象項目名】００２６
【補正方法】変更
【補正の内容】
【００２６】
図１Ｅは、インクを受け取るための側に沿った開口部１４２を有するプリントヘッド本体１０６の一実施形態を示す。インクチャネル１２６を通って開口部１４２に流体的に接続しているチャンバ１４４の中に入る流体経路は、プリントヘッド本体１０６に含まれるノズルからの排出のために、インクが、インクバッグ１０８からプリントヘッド本体１０６の中に流れることを可能にする。
【手続補正３】
【補正対象書類名】図面
【補正対象項目名】全図
【補正方法】変更
【補正の内容】
【図１Ａ】
2008524032.tif 000001
【図１Ｂ】
2008524032.tif 000002
【図１Ｃ】
2008524032.tif 000003
【図１Ｄ】
2008524032.tif 000004
【図１Ｅ】
2008524032.tif 000005
【図１Ｆ】
2008524032.tif 000006
【図１Ｇ】
2008524032.tif 000007
【図１Ｈ】
2008524032.tif 000008
【図２Ａ】
2008524032.tif 000009
【図２Ｂ】
2008524032.tif 000010
【図２Ｃ】
2008524032.tif 000011
【図２Ｄ】
2008524032.tif 000012
【図３Ａ】
2008524032.tif 000013
【図３Ｂ】
2008524032.tif 000014
【図４Ａ】
2008524032.tif 000015
【図４Ｂ】
2008524032.tif 000016
【図５Ａ】
2008524032.tif 000017
【図５Ｂ】
2008524032.tif 000018
【図５Ｃ】
2008524032.tif 000019
【図６Ａ】
2008524032.tif 000020
【図６Ｂ】
2008524032.tif 000021
【図７Ａ】
2008524032.tif 000022
【図７Ｂ】
2008524032.tif 000023
【図７Ｃ】
2008524032.tif 000024
【図７Ｄ】
2008524032.tif 000025
【図７Ｅ】
2008524032.tif 000026